(57)【要約】【課題】レジ係の操作ミスにより商品購入者が不利益を被るのを防止することが可能な情報処理装置を提供すること。【解決手段】物品コードを読み取る読取手段（２）と、前記読取手段により読み取られた物品コードに基づき受け付け対象の物品情報を通知するとともに、物品の受け付け確認を要求する要求手段（１３）と、前記要求手段の要求に対して所定の物品の受け付けを拒絶する応答を受けた場合には所定の物品の受け付けを取り消し、所定の物品の受け付けを許容する応答を受けた場合には所定の物品の受け付けを確定して、確定された物品の受け付け処理を行なう処理手段（１６）とを備えている。【選択図】    図２
2004287513.tif 000002
【特許請求の範囲】
【請求項１】
物品コードを読み取る読取手段と、
前記読取手段により読み取られた物品コードに基づき受け付け対象の物品情報を通知するとともに、物品の受け付け確認を要求する要求手段と、
前記要求手段の要求に対して所定の物品の受け付けを拒絶する応答を受けた場合には所定の物品の受け付けを取り消し、所定の物品の受け付けを許容する応答を受けた場合には所定の物品の受け付けを確定して、確定された物品の受け付け処理を行なう処理手段と、
を備えたことを特徴とする情報処理装置。
【請求項２】
物品コードを読み取る読取手段と、
前記読取手段により読み取られた複数の物品コードに基づき同一物品の複数受け付けが判明した場合には、同一物品の複数受け付けを通知するとともに、同一物品の複数受け付け確認を要求する要求手段と、
前記要求手段の要求に対して同一物品の複数受け付けを拒絶する応答を受けた場合には同一物品の複数受け付けを取り消し、同一物品の複数受け付けを許容する応答を受けた場合には同一物品の複数受け付けを確定して、確定された物品の受け付け処理を行なう処理手段と、
を備えたことを特徴とする情報処理装置。
【請求項３】
物品コードを読み取る読取手段と、
前記読取手段により読み取られた物品コードに基づき特定物品の受け付けが判明した場合には、特定物品の受け付けを通知するとともに、特定物品の受け付け確認を要求する要求手段と、
前記要求手段の要求に対して特定物品の受け付けを拒絶する応答を受けた場合には特定物品の受け付けを取り消し、特定物品の受け付けを許容する応答を受けた場合には特定物品の受け付けを確定して、確定された物品の受け付け処理を行なう処理手段と、
を備えたことを特徴とする情報処理装置。
【請求項４】
購入対象物品に添付されたバーコードを読み取る読取手段と、
前記読取手段により読み取られたバーコードに基づき購入対象の物品情報をリストアップするとともに、リストアップ物品の購入確認を要求する要求手段と、
前記要求手段の要求に対してリストアップ物品の中から所定の物品の購入拒絶応答を受けた場合には所定の物品をリストから外し、リストアップ物品の購入許容応答を受けた場合にはリストアップ物品の購入を確定して、確定された物品の販売処理を行なう処理手段と、
を備えたことを特徴とする情報処理装置。
【請求項５】
購入対象物品に添付されたバーコードを読み取る読取手段と、
前記読取手段により読み取られたバーコードに基づき購入対象の物品情報をリストアップするとともに、併せて複数のバーコードに基づき同一物品の複数購入が判明した場合には同一物品の複数購入を通知し、リストアップ物品の購入確認を要求する要求手段と、
前記要求手段の要求に対してリストアップ物品の中から所定の物品の購入拒絶応答を受けた場合には所定の物品をリストから外し、リストアップ物品の購入許容応答を受けた場合にはリストアップ物品の購入を確定して、確定された物品の販売処理を行なう処理手段と、
を備えたことを特徴とする情報処理装置。
【請求項６】
購入対象物品に添付されたバーコードを読み取る読取手段と、
前記読取手段により読み取られたバーコードに基づき購入対象物品情報をリストアップするとともに、併せて所定のバーコードに基づき価格修正対象の物品購入が判明した場合には価格修正対象の物品購入及びその物品価格を通知し、リストアップ物品の購入確認を要求する要求手段と、
前記要求手段の要求に対してリストアップ物品の中から所定の物品の購入拒絶応答を受けた場合には所定の物品をリストから外し、リストアップ物品の購入許容応答を受けた場合にはリストアップ物品の購入を確定して、確定された物品の販売処理を行なう処理手段と、
を備えたことを特徴とする情報処理装置。
【発明の詳細な説明】
【０００１】
【発明の属する技術分野】
この発明は、スーパーマーケット等に設置され、商品に添付されたバーコードを読み取り商品の会計処理を行なう情報処理装置に関する。
【０００２】
【従来の技術】
近年、スーパーマーケット等には、商品に添付されたバーコードを読み取り、その商品の会計処理を行なう情報処理端末が設置されている（例えば、特許文献１参照）。このような情報処理端末の設置により、レジ係による会計処理の効率化が図られている。
【０００３】
【特許文献１】
特開２０００−１１３０９５号公報
【０００４】
【発明が解決しようとする課題】
上記した情報処理端末によると、以下で説明するようなレジ係の操作ミスにより商品購入者が不利益を被る可能性があった。
【０００５】
第１に、レジ係の操作ミスによりある商品の代金が重複して徴収されてしまう問題について説明する。上記した情報処理端末のバーコードリーダは、商品に添付されたバーコードを光学的に読み取る。バーコードが添付される商品は、平面的なものだけでなく、曲面的なものも存在する。つまり、これら商品に添付されるバーコードは、平面的なものだけでなく、曲面的なものも存在する。さらに、商品を包む袋等に、バーコードが添付されていることもあり得る。
【０００６】
平面的にバーコードが添付されているケースでは、通常ほぼ１回の読み取り作業でバーコードの読み取りに成功する。ところが、上記ケース以外では、１回の読み取り作業でバーコードの読み取りに成功しないことがある。このような場合、レジ係は、何度かバーコードの読み取り作業を繰り返すことになる。このようなバーコード読み取りの繰り返し作業により、同一商品のバーコードが複数回読み取られてしまうことも有り得る。つまり、レジ係の操作ミスで、同一商品のバーコードが複数回読み取られてしまうことも有り得る。或いは、レジ係による商品の選択ミス（同一商品を複数回取り上げてしまうミス）で、同一商品のバーコードが複数回読み取られてしまうことも有り得る。つまり、実際に購入した商品が１つであるにもかかわらず、会計上は同一商品を複数購入したことになってしまう。
【０００７】
レジ係が、情報処理端末の画面を見てミスに気づけばよいが、見落とすことも有り得る。情報処理端末は会計報告書（レシート）を発行するが、会計報告書による会計内容の確認は、例えば会計場所の混雑の影響から、会計場所を離れての事後確認となることが多い。事後確認により会計内容の誤り（過剰請求）に気づいた場合、非の無い商品購入者が会計場所に戻って会計内容の誤りに対してクレームをつけなければならず、商品購入者にとって不便であるという問題があった。最悪、購入者までもが会計内容の誤りに気づかないと、本来支払う必要の無い（未購入分の商品）代金を徴収されてしまうことになる。
【０００８】
また、クレームを受けたレジ係は、クレームに対応して既に会計処理の終了した会計を修正しなければならず、会計処理の負担増という問題が生じる。さらに、虚偽のクレームにより実際の複数購入をごまかそうとする虚偽申告を見破ることが難しいという問題もある。
【０００９】
続いて、第２に、レジ係の操作ミスにより値引きが反映されずに通常価格が徴収されてしまう問題について説明する。上記した情報処理端末は、商品のバーコードを読み取り、このバーコードに対応づけられている価格を会計処理する。スーパーマーケットなどでは、特定期間にバーゲンを開催して特定の商品を通常価格より値引きして販売することがある。特定期間のバーゲン、例えばタイムサービスなどの値引きについては、情報処理端末に反映されていないことがある。このようなケースでは、レジ係員が、バーゲン商品であることを認識して値引き操作しなければ、実際の会計に値引き価格が反映されない。
【００１０】
レジ係が、情報処理端末の画面を見てミスに気づけばよいが、見落とすことも有り得る。情報処理端末は会計報告書（レシート）を発行するが、会計報告書による会計内容の確認は、例えば会計場所の混雑の影響から、会計場所を離れての事後確認となることが多い。事後確認により会計内容の誤り（値引きが反映されていない）に気づいた場合、非の無い商品購入者が会計場所に戻って会計内容の誤りに対してクレームをつけなければならず、商品購入者にとって不便であるという問題があった。最悪、購入者までもが会計内容の誤りに気づかないと、通常価格の代金を徴収されてしまうことになる。
【００１１】
この発明の目的は、上記問題を解決するためになされたものであって、レジ係の操作ミスにより商品購入者が不利益を被るのを防止することが可能な情報処理装置を提供することにある。
【００１２】
【課題を解決するための手段】
上記課題を解決し目的を達成するために、この発明の情報処理装置は、以下のように構成されている。
【００１３】
この発明の情報処理装置は、物品コードを読み取る読取手段と、前記読取手段により読み取られた物品コードに基づき受け付け対象の物品情報を通知するとともに、物品の受け付け確認を要求する要求手段と、前記要求手段の要求に対して所定の物品の受け付けを拒絶する応答を受けた場合には所定の物品の受け付けを取り消し、所定の物品の受け付けを許容する応答を受けた場合には所定の物品の受け付けを確定して、確定された物品の受け付け処理を行なう処理手段と、を備えている。
【００１４】
【発明の実施の形態】
以下、この発明の実施の形態について図面を参照して説明する。
【００１５】
図１は、この発明の情報処理装置の一例を示す図である。図１に示すように、情報処理装置は、パーソナルコンピュータ（以下ＰＣ）１及び入力装置２を備えている。ＰＣ１と入力装置２とは、ＲＳ−２３２Ｃ、ＵＳＢ、Ｂｌｕｅｔｏｏｔｈ等で接続されている。入力装置２は、例えばバーコードリーダである。つまり、入力装置２は、商品に添付されているバーコードを光学的に読み取り、バーコード読取結果をＰＣ１に通知する。
【００１６】
図２は、ＰＣ１の一例を示すブロック図である。図２に示すように、ＰＣ１は、ＣＰＵ１１、データ通信部１２、表示部１３、入力部１４、記憶部１５、制御部１６、２次記憶装置１７を備えている。データ通信部１２は、入力装置２から通知されるバーコード読取結果を受信する。２次記憶装置１７は、各バーコード読取結果に対応する各商品情報のデータベースを記憶する。例えば、データベースには、バーコード読取結果Ａに対応する情報として商品ａの品名、画像、価格などの情報が登録されている。データ通信部１２によりバーコード読取結果Ａが受信されると、２次記憶装置１７に記憶されているデータベースに基づきバーコード読取結果Ａに対応する商品ａの品名、画像、価格などの情報が読み出され、表示部１３に商品ａの品名、画像、価格などの情報が表示される。表示部１３は、例えば複数のディスプレイで構成されており、一つのディスプレイは情報処理装置を操作するオペレータ（レジ係）が目視可能な位置に設置されており、もう一つのディスプレイは商品購入者（顧客）が目視可能な位置に設置されている。即ち、顧客が購入しようとする商品ａに添付されたバーコードの読取結果（商品ａの品名、画像、価格）が、オペレータ及び商品購入者の両方に判るように、これらディスプレイに表示される。ＣＰＵ１１は、商品から読み取られたバーコード読取結果、及び２次記憶装置１７に記憶されているデータベースに基づき商品の販売処理（精算処理）を実行する。
【００１７】
入力部１４は、ハードキー及びタッチパネルで構成されている。ハードキーは、テンキーなどを含み、商品の価格等を直接手入力するときに利用される。また、タッチパネルは表示部１３上に配置されており、表示部１３上の任意の位置の押圧を検知する。表示部１３に対する表示内容は、制御部１６により制御される。また、制御部１６は、入力部１４のハードキーによる入力情報及びタッチパネルによる入力情報（押圧位置）を受け取り、入力情報に対応した処理を実行する。例えば、制御部１６は、表示内容を制御しており、所定の位置に所定の項目を表示させる。具体的に言うと、制御部１６は、必要に応じて表示部１３上の所定位置に表示内容の確認を要求するための「確認」キー及び「修正」キーを表示させる。このとき、制御部１６は、所定位置（「確認」キー又は「修正」キーの表示位置）が押圧されたことを示す入力情報を受け取ると、所定項目（「確認」キー又は「修正」キー）が選択されたと判断し、所定項目の選択（「確認」キー又は「修正」キーの項目の選択）に対応する処理を実行する。
【００１８】
図３は、通常時の商品購入確認画面の一例を示す図である。さらに詳しく説明すると、図３は、６点の商品からバーコードが読み取られたとき（６点お買い上げのとき）に表示される画面の一例である。図３に示す通常時の画面は、表示部１３に表示される。商品購入者は、表示部１３の表示内容を確認する。つまり、商品購入者は、表示部１３にリストアップされた各商品を確認する。商品購入者は、会計処理に受け付けられる品（購入扱いとなる品）を確認し、受け付け内容に誤りがあれば「修正」キーを押下し、受け付け内容が正しければ「確定」キーを押下する。「確定」キーが押下されると、画面上にリストアップされた商品の購入が確定し、ＣＰＵ１１によりリストアップされた商品の販売処理（精算処理）が実行される。
【００１９】
ここで、重複品とバーゲン品について説明する。まず重複品について説明する。上記した「確定」キーが押下されてから次に「確定」キーが押下されるまでの間（一連の会計処理の間）に、入力装置２により読み取られた複数のバーコード読取結果に基づき同一商品が検知された場合、この検知された同一商品を重複品とする。ＣＰＵ１１は、データ通信部１２で受信される複数のバーコード読取結果、及び２次記憶装置１７に記憶されているデータベースに基づき重複品を検知する。
【００２０】
続いてバーゲン品について説明する。バーゲン品とは、特定期間に本来の価格（通常価格）より値引きしてバーゲン価格で販売される品である。バーゲン品の扱いは、次の３つに大別される。一つ目は、バーゲン品に関する情報が、情報処理装置の２次記憶装置１７のデータベースに一切登録されていないケースである。つまり、情報処理装置がバーゲン品を識別できないケースである。二つ目は、情報処理装置の２次記憶装置１７のデータベース上で、バーゲン品に該当する商品が登録されており、且つバーゲン価格が登録されていないケースである。つまり、情報処理装置がバーゲン品を識別できるが、バーゲン価格は特定できないケースである。三つ目は、情報処理装置の２次記憶装置１７のデータベース上で、バーゲン品に該当する商品が登録されており、且つバーゲン価格も登録されているケースである。つまり、情報処理装置がバーゲン品を識別でき、しかもバーゲン価格も特定できるケースである。ＣＰＵ１１は、データ通信部１２で受信されるバーコード読取結果、及び２次記憶装置１７に記憶されているデータベースに基づきバーゲン品を検知する。ＣＰＵ１１によるバーゲン品の検知は、実際にバーゲン品になっているかどうかは関係なく、データベース上に登録されているか否かに依存する。
【００２１】
次に、図１０に示すフローチャートを参照して、上記説明した情報処理装置による精算処理の流れを説明する。
【００２２】
まず、入力装置（バーコードリーダ）２により商品（購入対象物品）に添付されたバーコードが読み取られる（ＳＴ１０）。入力装置２が移動自在に設けられている場合、オペレータが入力装置２を商品に近づけて商品に添付されているバーコードを読み取るようにしてもよいし、入力装置２が固定されている場合、オペレータが商品を入力装置２に近づけて商品に添付されたバーコードを読み取るようにしてもよい。
【００２３】
一品目の商品に添付されたバーコードを読み取った時点では、重複品は無く（ＳＴ１２、ＮＯ）、またバーゲン品にも該当しないとすると（ＳＴ１６、ＮＯ）、一品目の商品に関する情報が示された通常画面が表示される（ＳＴ２０）。なお、ＳＴ１６におけるバーゲン品に該当するか否かの判断は、実際に商品がバーゲン品になっているかどうかは関係なく、データベース上に登録されているか否かに依存する。
【００２４】
さらに、入力装置２により二品目、三品目、…、六品目の商品に添付されたバーコードが次々と読み取られ（ＳＴ２２、ＹＥＳ）（ＳＴ１０）、これら商品の中に重複品が無く（ＳＴ１２、ＮＯ）、またバーゲン品に該当するものもないとすると（ＳＴ１６、ＮＯ）、一品目〜六品目までの商品に関する情報が示された通常画面、例えば図３に示す通常画面が表示される（ＳＴ２０）。
【００２５】
入力装置２による商品の読み取りを継続しない場合（ＳＴ２２、ＮＯ）、「確定」キー又は「修正」キーの押下待ちとなる。通常画面に表示された受け付けリスト中に、本来購入を希望していない商品が含まれていないこと、さらにバーゲン品になっている商品が含まれている場合にはその商品が確かにバーゲン価格になっていることを確認して、商品購入者は「確定」キーを押下する。既に説明したように、バーゲン品に関する情報が、情報処理装置の２次記憶装置１７のデータベースに一切登録されていなければ、情報処理装置はバーゲン品を識別できない。つまり、実際にはバーゲン品が含まれていても画面上、バーゲン品としての情報は一切表示されない。このようなケースでも、商品購入者が、バーゲン品として購入したことを認識していれば、会計上の誤り（バーゲン価格が反映されていないこと）を指摘することができる。
【００２６】
商品購入者が「確定」キーを押下すると、入力部１４のタッチパネルにより「確定」キーの押下が検知され（ＳＴ２４、ＹＥＳ）、画面にリストアップされた商品の販売処理（精算処理）が実行される（ＳＴ３０）。商品購入者が「修正」キーを押下すると、入力部１４のタッチパネルにより「修正」キーの押下が検知され（ＳＴ２４、ＮＯ）（ＳＴ２６、ＹＥＳ）、修正画面が表示される（ＳＴ２８）。修正画面上では、例えばリストアップされた商品の削除（キャンセル）が許される。また、バーゲン品が含まれており且つバーゲン価格が反映されていない場合には、通常価格からバーゲン価格への変更も指示できるようにしてもよい。修正画面上で必要に応じてリストアップされた商品の削除をした後、リスト中に本来購入を希望していない商品が含まれていないこと、さらにバーゲン品になっている商品が含まれている場合にはその商品が確かにバーゲン価格になっていることを確認して、商品購入者は「確定」キーを押下すると、入力部１４のタッチパネルにより「確定」キーの押下が検知され（ＳＴ２４、ＹＥＳ）、画面にリストアップされた商品（削除された商品除く）の販売処理（精算処理）が実行される（ＳＴ３０）。
【００２７】
バーコード読み取り中に重複品が判明したケースについて説明する。複数商品のバーコードの読み取りにより（ＳＴ１０）、重複品が判明すると（ＳＴ１２、ＹＥＳ）、例えば、図４に示すような、２重購入警告時の商品購入確認画面が表示される（ＳＴ１４）。図４では、ある商品の２重購入が警告されている。重複品の商品名は強調表示（文字サイズの拡大、他の文字色と異なる文字色の採用）され、さらに、重複品の商品の画像も表示される（データベースには各商品の画像データも含まれている）。入力装置２による商品の読み取りを継続しない場合（ＳＴ２２、ＮＯ）、「確定」キー又は「修正」キーの押下待ちとなる。
【００２８】
警告画面に表示された受け付けリスト中（特に強調表示、画像表示された商品）に、本来購入を希望していない商品が含まれていないこと、さらにバーゲン品になっている商品が含まれている場合にはその商品が確かにバーゲン価格になっていることを確認して、商品購入者は「確定」キーを押下する。既に説明したように、バーゲン品に関する情報が、情報処理装置の２次記憶装置１７のデータベースに一切登録されていなければ、情報処理装置はバーゲン品を識別できない。つまり、バーゲン品が含まれていても画面上、バーゲン品としての情報は一切表示されない。このようなケースでも、商品購入者が、バーゲン品として購入したことを認識していれば、会計上の誤りを指摘することができる。
【００２９】
実際に同一商品を重複して購入している場合等で、商品購入者が「確定」キーを押下すると、入力部１４のタッチパネルにより「確定」キーの押下が検知され（ＳＴ２４、ＹＥＳ）、画面にリストアップされた商品の販売処理（精算処理）が実行される（ＳＴ３０）。同一商品を重複して購入していない場合等では、商品購入者が「修正」キーを押下すると、入力部１４のタッチパネルにより「修正」キーの押下が検知され（ＳＴ２４、ＮＯ）（ＳＴ２６、ＹＥＳ）、例えば図５に示すような商品購入修正画面が表示される（ＳＴ２８）。修正画面上の商品リスト中の商品名又は商品画像にタッチすると、タッチされた商品が修正候補（キャンセル候補）として選択され、図６に示すように選択された商品が画面中に表示される。ここで修正を確定する場合は「確定」キーを押下し、修正を確定せずにやり直す場合は「再設定」キーを押下する。
【００３０】
図６に示す画面上で「確定」キーが押下されると、図７に示す画面に切り替わる。この画面上で、商品購入者は、購入商品に誤りが無いことを再度確認して、誤りがなければ「確定」キーを押下すると、入力部１４のタッチパネルにより「確定」キーの押下が検知され（ＳＴ２４、ＹＥＳ）、画面にリストアップされた商品（削除された商品除く）の販売処理（精算処理）が実行される（ＳＴ３０）。
【００３１】
次に、バーコード読み取り中にバーゲン品が判明したケースについて説明する。ここでは、情報処理装置の２次記憶装置１７のデータベース上で、バーゲン品に該当する商品が登録されており、且つバーゲン価格が登録されていないケースについて説明する。商品のバーコードの読み取りにより（ＳＴ１０）、バーゲン品が判明すると（ＳＴ１６、ＹＥＳ）、例えば、図８の左側に示すような商品購入リスト及び図８の右側上部に示すようなバーゲン品の画像が表示される（ＳＴ１８）。図８の左側の商品購入リストに示すように、ある商品がバーゲン品である旨が案内されている。バーゲン品の商品名は強調表示（文字サイズの拡大、他の文字色と異なる文字色の採用）され、さらに、図８の右側上部に示すように、バーゲン品の商品の画像も表示される（データベースには各商品の画像データも含まれている）。入力装置２による商品の読み取りを継続しない場合（ＳＴ２２、ＮＯ）、「確定」キー又は「修正」キーの押下待ちとなる。
【００３２】
図８の左側に表示されたリスト中（特に強調表示、画像表示された商品）に、本来購入を希望していない商品が含まれていないこと、さらにバーゲン品になっている商品が含まれている場合にはその商品が確かにバーゲン価格に変更されることを確認して、商品購入者は「確認」キーを押下する。既に説明したように、バーゲン品に関する情報が、情報処理装置の２次記憶装置１７のデータベースに一切登録されていなければ、情報処理装置はバーゲン品を識別できない。つまり、バーゲン品が含まれていても画面上、バーゲン品としての情報は一切表示されない。このようなケースでも、商品購入者が、バーゲン品として購入したことを認識していれば、会計上の誤りを指摘することができる。
【００３３】
商品購入者が、バーゲン品になっている商品が確かにバーゲン価格に変更されることを確認して「確認」キーを押下すると、入力部１４のタッチパネルにより「確認」キーの押下が検知され（ＳＴ２４、ＹＥＳ）、画面にリストアップされた商品の販売処理（精算処理）が実行される（ＳＴ３０）。商品購入者が、バーゲン品になっている商品がバーゲン価格に変更されていないことに気づいた場合、リスト中のバーゲン品名又はバーゲン品画像にタッチし、タッチされた商品の価格修正を要求する（ＳＴ２６、ＹＥＳ）。このとき、例えばオペレータが、バーゲン価格を入力する。オペレータにより入力されたバーゲン価格は、図８の右下に示すように追加表示される。商品購入者は、バーゲン品になっている商品が確かにバーゲン価格になっていることを確認して「確認」キーを押下する。これに伴い、入力部１４のタッチパネルにより「確認」キーの押下が検知され、バーゲン価格に修正されたバーゲン品を含む商品購入リストが、図９に示すように表示される（ＳＴ２８）。
【００３４】
図９に示す画面に表示された受け付けリスト中に、本来購入を希望していない商品が含まれていないこと、さらにバーゲン品になっている商品が含まれている場合にはその商品が確かにバーゲン価格になっていることを確認して、商品購入者は「確定」キーを押下する。これに伴い、入力部１４のタッチパネルにより「確定」キーの押下が検知され（ＳＴ２４、ＹＥＳ）、画面にリストアップされた商品の販売処理（精算処理）が実行される（ＳＴ３０）。商品購入者が「修正」キーを押下すると、入力部１４のタッチパネルにより「修正」キーの押下が検知され（ＳＴ２４、ＮＯ）（ＳＴ２６、ＹＥＳ）、修正画面が表示される（ＳＴ２８）。修正画面上では、例えばリストアップされた商品の削除（キャンセル）が許される。
【００３５】
以上説明したように、この発明によれば、バーコード読取結果に対応する商品情報がレジ係及び商品購入者の両方に示される。これにより、レジ係によるバーコード読み取りのリトライ作業により同一商品のバーコードが複数回読み取られてしまった場合、又はレジ係による商品の選択ミス（同一商品を複数回取り上げてしまうミス）で同一商品のバーコードが複数回読み取られてしまった場合の過剰請求を未然に防止できる。さらに、バーゲン品であるにもかかわらずバーゲン価格が反映されていないことによる商品購入者の不利益も未然に防止できる。
【００３６】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００３７】
【発明の効果】
この発明によれば、レジ係の操作ミスにより商品購入者が不利益を被るのを防止することが可能な情報処理装置を提供できる。
【図面の簡単な説明】
【図１】この発明の情報処理装置の一例を示す図である。
【図２】情報処理装置を構成するＰＣの一例を示すブロック図である。
【図３】情報処理装置により表示される通常時の商品購入確認画面の一例を示す図である。
【図４】情報処理装置により表示される２重購入警告時の商品購入確認画面の一例を示す図である。
【図５】情報処理装置により表示される２重購入警告時における商品購入修正画面その１の一例を示す図である。
【図６】情報処理装置により表示される２重購入警告時における商品購入修正画面その２の一例を示す図である。
【図７】情報処理装置により表示される２重購入警告時における商品購入修正画面その３の一例を示す図である。
【図８】情報処理装置により表示されるバーゲン品案内画面の一例を示す図である。
【図９】情報処理装置により表示されるバーゲン品購入確認画面の一例を示す図である。
【図１０】情報処理装置による精算処理の流れを説明するフローチャートである。
【符号の説明】
１…ＰＣ、２…入力装置（バーコードリーダ）、１１…ＣＰＵ、１２…データ通信部、１３…表示部、１４…入力部、１５…記憶部、１６…制御部、１７…２次記憶装置
【図１】
2004287513.tif 000003
【図２】
2004287513.tif 000004
【図３】
2004287513.tif 000005
【図４】
2004287513.tif 000006
【図５】
2004287513.tif 000007
【図６】
2004287513.tif 000008
【図７】
2004287513.tif 000009
【図８】
2004287513.tif 000010
【図９】
2004287513.tif 000011
【図１０】
2004287513.tif 000012